(57)【要約】【課題】      接地時の衝撃を緩和させる衝撃吸収手段を備えた杖の提供。【解決手段】  本発明の杖は、接地部分と柄部分側との間に、接地部分の接地による衝撃の少なくとも一部を吸収する衝撃吸収手段を備えたことを特徴とする。又、衝撃吸収手段は、接地部分側の一部と柄部分側の一部とを杖の延在方向に摺動自在に嵌合させると共に、前記接地部分と柄部分との間にスプリングを介在させた構成であることを特徴とする。  又、衝撃吸収手段は、接地部分側の一部と柄部分側の一部とを互いに同軸的に嵌り合って杖の延在方向に摺動自在となる大小の筒状に形成し、前記小の筒の内部に、一端を前記接地部分側に他端を前記柄部分側に掛止させたスプリングを介在させた構成であることを特徴とする。【選択図】        図１
2009183436.tif 000002
【特許請求の範囲】
【請求項１】
接地部分と柄部分側との間に、前記接地部分の接地による衝撃の少なくとも一部を吸収する衝撃吸収手段を備えたことを特徴とする杖。
【請求項２】
衝撃吸収手段は、接地部分と柄部分側との間にスプリングを介在させた構成であることを特徴とする請求項1に記載の杖。
【請求項３】
衝撃吸収手段は、接地部分側の一部と柄部分側の一部とを杖の延在方向に摺動自在に嵌合させると共に、前記接地部分と柄部分との間にスプリングを介在させた構成であることを特徴とする請求項1に記載の杖。
【請求項４】
衝撃吸収手段は、接地部分側の一部と柄部分側の一部とを互いに同軸的に嵌り合って杖の延在方向に摺動自在となる大小の筒状に形成し、前記小の筒の内部に、一端を前記接地部分側に他端を前記柄部分側に掛止させたスプリングを介在させた構成であることを特徴とする請求項1に記載の杖。
【請求項５】
衝撃吸収手段は、接地部分側の一部と柄部分側の一部とを互いに同軸的に嵌り合うピストン構造とし、ピストンロッドに相応する棒状部の筒の外周部にスプリングを巻装させた構成であることを特徴とする請求項1に記載の杖。
【発明の詳細な説明】
【技術分野】
【０００１】
本発明は、健常者のみならず非健常者が用いる杖に関するもので、詳しくは、杖の石鎚即ち接地部分の接地の度に生ずる衝撃を緩和させる衝撃吸収手段を備えた杖に関する。
【背景技術】
【０００２】
従来の杖は、健常者の用いる杖は、勿論のこと、治療患者が用いる医療用の杖（松葉杖）であっても、杖の接地部分と柄側部分とは一体形成されており、精々、柄の身が当たる部分、例えば、健常者の杖ならば手で握られる柄部分、松葉杖ならば腕の脇が当たる柄の部分）にクッション素材が用いられているに過ぎなかった。
【発明の開示】
【発明が解決しようとする課題】
【０００３】
従って、従来の杖では、接地部分が接地する度に生じる衝撃、特に、コンクリートや石やレンガや合成素材で形成された硬質の床部材等から受ける比較的強くて硬い衝撃が、直接、手首や肩に響くように伝わることを避け難かった。
【０００４】
本発明は、従来の上記不都合を解消し、接地時の衝撃を緩和させる衝撃吸収手段を備えた杖の提供を目的とする。
【課題を解決するための手段】
【０００５】
請求項１の杖の発明は、接地部分と柄部分側との間に、前記接地部分の接地による衝撃の少なくとも一部を吸収する衝撃吸収手段を備えたことを特徴とする。
【０００６】
請求項２の発明は、請求項1に記載の杖において、衝撃吸収手段は接地部分と柄部分側との間にスプリングを介在させた構成であることを特徴とする。
【０００７】
請求項３の発明は、請求項1に記載の杖において、衝撃吸収手段は接地部分側の一部と柄部分側の一部とを杖の延在方向に摺動自在に嵌合させると共に前記接地部分と柄部分との間にスプリングを介在させた構成であることを特徴とする。
【０００８】
請求項４の発明は、請求項1に記載の杖において、衝撃吸収手段は接地部分側の一部と柄部分側の一部とを互いに同軸的に嵌り合って杖の延在方向に摺動自在となる大小の筒状に形成し、前記小の筒の内部には、一端を前記接地部分側に他端を前記柄部分側に掛止させたスプリングを介在させた構成であることを特徴とする。
【０００９】
請求項5の発明は、請求項１に記載の杖において、衝撃吸収手段は、接地部分側の一部と柄部分側の一部とを互いに同軸的に嵌り合うピストン構造とし、ピストンロッドに相応する棒状部の筒の外周部にスプリングを巻装させた構成であることを特徴とする。
【発明の効果】
【００１０】
請求項１乃至請求項５の各発明によれば、何れも、従来の杖に較べて、接地部分が接地する度に生じる衝撃、特に、コンクリートや石やレンガや合成素材で形成された硬質の床部材等から受ける比較的強くて硬い衝撃を効果的に吸収させることができ、杖を掴む手や手首、或いは松葉杖を支える肩に優しい杖を提供することができる。
【発明を実施するための最良の形態】
【００１１】
以下、本発明は、杖を接地部分と柄部分とに２分割し、接地部分と柄部分側との間に、杖が接地される際に接地部分が受ける衝撃の少なくとも一部を吸収するための衝撃吸収手段を設けた構成とした杖の２つの実施例を図に基づいて説明する。
【００１２】
図１は実施例１の杖の要部拡大断面図、図２は実施例１の杖の縦断面図、図３は実施例１の柄部分の形状を変えた杖の縦断面図、図４は実施例２の杖の要部拡大断面図、図５は実施例２の杖の縦断面図、図６は実施例２の柄部分の形状を変えた杖の縦断面図である。
【実施例１】
【００１３】
図１乃至図３において、実施例１の杖１は、１本の杖１を接地部分１２と柄部分１３とに２分轄して、接地部分１２と柄部分１３側との間に衝撃吸収手段４としてスプリング４１を介在させた構成としたもので、接地部分１２側の一部１２１（筒状部）と柄部分１３側の一部１３１（筒状部）とを互いに同軸的に嵌り合って杖１の延在方向に摺動自在となる大小の筒状（筒状部１２１、１３１）に形成し、前記小の筒状部１２１の内部に、一端を前記接地部１２分側に他端を前記柄部分１３側に掛止させたスプリング４１を介在させてある。
【００１４】
図示の例では、接地部分１２側の一部１２１即ち筒状部１２１を小径の筒、柄部分１３側の一部１３１即ち筒状部１３１を大径の筒として、相対する接地部分側１２の一部である筒状部１２１と柄部分１３側の一部である筒状部１３１とを杖１の延在方向に、互いに摺動自在に嵌合させた二重筒構造としている。
【００１５】
前記の筒状部１２１、１３１の径の大小は逆であってもかまわない。要は、互いに摺動自在に嵌合する二重筒構造とすればよい。このような二重筒構造とすることにより、構造が簡単で、比較的高い強度が得られる杖１を低コストで提供することができる。
【００１６】
接地部分１２と柄部分１３との間に介在させるスプリング４１（４）は、小径の接地部分１２側の筒状部１２１の内部に、当該筒の軸方向（杖の延在方向）に介装されており、スプリング４１（４）の一端が接地部分１２側に、他端が柄部分１３側に適当な手段（図示せず）で掛止されている。
尚、この例では、スプリング４１（４）の両端を接地部分１２と柄部分１３とに係止させることによって、接地部分１２と柄部分１３との抜けを防止（抜止防止）させているが、抜止防止手段は他の適当な手段を用いてもよい。
【００１７】
この実施例１の杖１によれば、接地部分１２が接地する度に生じる衝撃、例えば、コンクリートや石やレンガや合成素材で形成された硬質の床部材等から受ける比較的強くて硬い衝撃を、スプリング４１を用いた衝撃吸収手段４により効果的に吸収させることができるので、杖１を掴む手や手首、或いは松葉杖を支える肩等への衝撃を緩和させることができる。
【実施例２】
【００１８】
実施例２の杖２も、上記実施例１と同様に、接地部分２２側の一部２２１と柄部分２３側の一部２３１とを杖２の延在方向に摺動自在に嵌合させて、接地部分２２と柄部分２３との間に衝撃吸収手段４としてスプリング４２を介在させた構成としたものであるが、衝撃吸収手段４を、接地部分２２側の一部２２１即ち棒状部（ピストン構造でいうピストンロッドに相応する）と柄部分２３側の一部２３１即ち筒部（ピストン構造でいうシリンダに相応する）とを互いに同軸的に嵌合させて、杖２の延在方向に互いに摺動自在となる構造とし、前記棒状部２２１の外周部にスプリング４２を巻装させた構成とした点で、上記実施例１と異なる。
【００１９】
図3乃至図６において、この実施例２の衝撃吸収手段４は、前記のように、接地部分２２側の一部である棒状部２２１がピストンロッドに相応し、柄部分２３側の一部即ち筒部２３１がピストンシリンダに相応するピストン構造としてある。即ち、棒状部２２１のピストンロッドと筒部２３１のピストンシリンダとを互いに同軸的に嵌り合わせて、杖２の延在方向に摺動自在な構成とし、棒状部（ピストンロッド）２２１の外周部に棒状部（ピストンロッド）２２１が筒部（ピストンシリンダ）２３１から突出するように常時付勢させるスプリング４２を巻装してある。
【００２０】
このスプリング４２は、図示していない掛止手段で、その一端を接地部分２２側に他端を柄部分２３側に掛止させているが、図示のようにシリンダ内のピストンの径をピストンロッドの径より小径の構造とすることで、このピストン構造自体を抜止防止手段とすることができるので、必ずしも、スプリング４２の両端を掛止させる必要はなく、フリーに巻装させても差し支えない。
尚、仮に、ピストンとピストンロッドの径とを同じとする場合には、他の適宜な抜止手段を講じればよい。
【００２１】
この実施例２の杖２によっても、上記実施例１と同様に、接地部分２２が接地する度に生じる衝撃をスプリング４２を用いた衝撃吸収手段４により効果的に吸収させることができる。
【産業上の利用可能性】
【００２２】
本発明は、上記実施例１、２では典型的で一般的な杖を例にして説明したが、これらに限らず、長さ調節が適宜できる杖や、その他の特殊な杖、例えば医療用の杖等、健常者や患者等の非健常者が用いる杖においても、その杖の形の如何にかかわらず、広く産業上利用することができる。
【図面の簡単な説明】
【００２３】
【図１】実施例１の杖の要部拡大断面図である。
【図２】実施例１の杖の縦断面図である。
【図３】実施例１の柄部分の形状を変えた杖の縦断面図である。
【図４】実施例２の杖の要部拡大断面図である。
【図５】実施例２の杖の縦断面図である。
【図６】実施例２の柄部分の形状を変えた杖の縦断面図である。
【符号の説明】
【００２４】
１      杖（実施例１）
１２    接地部分
１２１  接地部分の一部
１３    柄部分
１３１  柄部分の一部
４      衝撃吸収手段
４１    スプリング
２  杖（実施例２）
２２    接地部分
２２１  接地部分の一部
２３    柄部分
２３１  柄部分の一部
４      衝撃吸収手段
４２    スプリング
【図１】
2009183436.tif 000003
【図２】
2009183436.tif 000004
【図３】
2009183436.tif 000005
【図４】
2009183436.tif 000006
【図５】
2009183436.tif 000007
【図６】
2009183436.tif 000008